(57)【要約】【課題】特定の場所で提供されるコンテンツを確実に視聴することができるコンテンツ表示装置等を提供する。【解決手段】システム制御部４０は、コンテンツデータと、受信キーと、を受信すると、予め設定された前記受信キーと同一の内容を示す受信キーと前記受信した受信キーとが一致した場合に、前記受信したコンテンツデータが示すコンテンツを表示部３２に表示する。【選択図】図１
2010257105.tif 000002
【特許請求の範囲】
【請求項１】
コンテンツを表示する表示部を有するコンテンツ表示装置であって、
外部から送信される前記コンテンツを示すコンテンツデータと、当該コンテンツデータを受信して表示部への表示を許可する情報を示す受信キーと、を受信する受信手段と、
前記受信キーと同一の内容を示す受信キーを予め設定する受信キー設定手段と、
前記受信した受信キーと、前記予め設定した受信キーが一致した場合に、前記受信したコンテンツデータが示すコンテンツを前記表示部に表示する表示制御手段と、
を備えることを特徴とするコンテンツ表示装置。
【請求項２】
請求項１に記載のコンテンツ表示装置において、
前記表示制御手段は、前記受信した受信キーと、前記予め設定した受信キーが一致しなかった場合には、受信した前記コンテンツデータの表示を許可しない旨を前記表示部へ表示することを特徴とするコンテンツ表示装置。
【請求項３】
コンテンツを表示する表示部を有するコンテンツ受信装置におけるコンテンツ受信方法であって、
外部から送信される前記コンテンツを示すコンテンツデータと、当該コンテンツデータを受信して表示部への表示を許可する情報を示す受信キーと、を受信する受信工程と、
前記受信キーと同一の内容を示す受信キーを予め設定する受信キー設定工程と、
前記受信した受信キーと、前記予め設定した受信キーが一致した場合に、前記受信したコンテンツデータが示すコンテンツを前記表示部に表示する表示制御工程と、
を有することを特徴とするコンテンツ表示方法。
【請求項４】
コンテンツを表示する表示部を有するコンテンツ表示装置が有するコンピュータを、
外部から送信される前記コンテンツを示すコンテンツデータと、当該コンテンツデータを受信して表示部への表示を許可する情報を示す受信キーと、を受信する受信手段、
前記受信キーと同一の内容を示す受信キーを予め設定する受信キー設定手段、
前記受信した受信キーと、前記予め設定した受信キーが一致した場合に、前記受信したコンテンツデータが示すコンテンツを前記表示部に表示する表示制御手段、
として機能させることを特徴とするコンテンツ表示プログラム。
【請求項５】
コンテンツを表示する表示部とコンテンツを示すコンテンツデータを送信するコンテンツ送信装置と、コンテンツを表示する表示部を有するコンテンツ表示装置とを備えるコンテンツ送受信システムであって、
前記コンテンツ表示装置は、
外部から送信される前記コンテンツを示すコンテンツデータと、当該コンテンツデータを受信して表示部への表示を許可する情報を示す受信キーと、を受信する受信手段と、
前記受信キーと同一の内容を示す受信キーを予め設定する受信キー設定手段と、
前記受信した受信キーと、前記予め設定した受信キーが一致した場合に、前記受信したコンテンツデータが示すコンテンツを前記表示部に表示する表示制御手段と、
をさらに備えることを特徴とするコンテンツ送受信システム。
【発明の詳細な説明】
【技術分野】
【０００１】
本発明は、コンテンツ表示送信装置、コンテンツ表示方法、及びコンテンツ表示プログラム等に関するものであり、より詳細には、例えば、特定の場所で提供されるコンテンツを確実に視聴することができるコンテンツ表示装置等の技術分野に関する。
【背景技術】
【０００２】
大きな会場における講演のディスプレイ資料や街中の電光掲示板など、大人数向けにディスプレイ発信される情報（例えば、コンテンツ等）を得る機会は日常多く存在する。しかしディスプレイと距離が離れている場合や街が混雑している場合、情報受信者は十分な情報を得ることができない。
【０００３】
特許文献１では、展示会、講習会当において、携帯用情報表示装置を所有する鑑賞者個人に対して、画像又は音声等の情報を送信し当該情報を表示させる発明が開示されている。
【０００４】
また、特許文献２では、赤外線通信により携帯端末からプロジェクタに対して画像送信を要求する発明が開示されている。
【先行技術文献】
【特許文献】
【０００５】
【特許文献１】特開平０５−４６１３１号公報
【特許文献２】特開２００５−２１７４６０号公報
【発明の概要】
【発明が解決しようとする課題】
【０００６】
しかし、特許文献１及び特許文献２に記載の技術では、送信される前記コンテンツに対し何らのセキュリティ対策が施されていないため、不特定の者に受信される虞がある。従って、前記コンテンツを送信すべき者に対して適切に送信することはできなかった。
【０００７】
そこで、本発明は、前記問題点に鑑みてなされたものであり、その目的の一例は、特定の場所で提供されるコンテンツを確実に視聴することができ、かつ、送信すべき者に対し、適切にコンテンツを送信し視聴させることができるコンテンツ表示装置、コンテンツ表示方法、及びコンテンツ表示プログラム等を提供することにある。
【課題を解決するための手段】
【０００８】
前記課題を解決するために、請求項１に記載の発明は、コンテンツを表示する表示部を有するコンテンツ表示装置であって、外部から送信される前記コンテンツを示すコンテンツデータと、当該コンテンツデータを受信して表示部への表示を許可する情報を示す受信キーと、を受信する受信手段と、前記受信キーと同一の内容を示す受信キーを予め設定する受信キー設定手段と、前記受信した受信キーと、前記予め設定した受信キーが一致した場合に、前記受信したコンテンツデータが示すコンテンツを前記表示部に表示する表示制御手段と、を備えることを特徴とする。
【０００９】
この発明によれば、外部から送信される受信キーと予め設定した受信キーが一致した場合に、受信したコンテンツデータが示すコンテンツを表示するようになっている。
【００１０】
従って、特定の場所で提供されるコンテンツを確実に視聴することができ、かつ、送信すべき者に対し、適切にコンテンツを送信し視聴させることができる。
【００１１】
請求項２に記載の発明は、請求項１に記載のコンテンツ表示装置において、前記表示制御手段は、前記受信した受信キーと、前記予め設定した受信キーが一致しなかった場合には、受信した前記コンテンツデータの表示を許可しない旨を前記表示部へ表示することを特徴とする。
【００１２】
従って、コンテンツの表示が許されていない者に対して、適切にその旨を提示することができる。
【００１３】
請求項３に記載の発明は、コンテンツを表示する表示部を有するコンテンツ受信装置におけるコンテンツ受信方法であって、外部から送信される前記コンテンツを示すコンテンツデータと、当該コンテンツデータを受信して表示部への表示を許可する情報を示す受信キーと、を受信する受信工程と、前記受信キーと同一の内容を示す受信キーを予め設定する受信キー設定工程と、前記受信した受信キーと、前記予め設定した受信キーが一致した場合に、前記受信したコンテンツデータが示すコンテンツを前記表示部に表示する表示制御工程と、を有することを特徴とする。
【００１４】
請求項４に記載の発明は、コンテンツを表示する表示部を有するコンテンツ表示装置が有するコンピュータを、外部から送信される前記コンテンツを示すコンテンツデータと、当該コンテンツデータを受信して表示部への表示を許可する情報を示す受信キーと、を受信する受信手段、前記受信キーと同一の内容を示す受信キーを予め設定する受信キー設定手段、前記受信した受信キーと、前記予め設定した受信キーが一致した場合に、前記受信したコンテンツデータが示すコンテンツを前記表示部に表示する表示制御手段、として機能させることを特徴とする。
【００１５】
請求項５に記載の発明は、コンテンツを表示する表示部とコンテンツを示すコンテンツデータを送信するコンテンツ送信装置と、コンテンツを表示する表示部を有するコンテンツ表示装置とを備えるコンテンツ送受信システムであって、前記コンテンツ表示装置は、外部から送信される前記コンテンツを示すコンテンツデータと、当該コンテンツデータを受信して表示部への表示を許可する情報を示す受信キーと、を受信する受信手段と、前記受信キーと同一の内容を示す受信キーを予め設定する受信キー設定手段と、前記受信した受信キーと、前記予め設定した受信キーが一致した場合に、前記受信したコンテンツデータが示すコンテンツを前記表示部に表示する表示制御手段と、をさらに備えることを特徴とする。
【発明の効果】
【００１６】
以上のように、本発明によれば、外部から送信される受信キーと予め設定した受信キーが一致した場合に、受信したコンテンツデータが示すコンテンツを表示するため、特定の場所で提供されるコンテンツを確実に視聴することができ、かつ、送信すべき者に対し、適切にコンテンツを送信し視聴させることができる。
【図面の簡単な説明】
【００１７】
【図１】コンテンツ送受信システムＳの構成概要を示す図である。
【図２】大型プロジェクタ１の構成概要を示すブロック図である。
【図３】携帯電話２ａの構成概要を示すブロック図である。
【図４】本実施形態にかかるコンテンツ送受信システムＳの動作例１を示すシーケンス図である。
【図５】本実施形態にかかるコンテンツ送受信システムＳの動作例２を示すシーケンス図である。
【発明を実施するための形態】
【００１８】
以下、図面を参照して本願の最良の実施形態について詳細に説明する。なお、以下に説明する実施の形態は、コンテンツ送受信システムＳに対して本願を適用した場合の実施形態である。
【００１９】
まず、本実施形態に係るコンテンツ送受信システムＳの構成及び機能概要について、図１〜図３を用いて説明する。
【００２０】
図１は、本実施形態に係るコンテンツ送受信システムＳの概要構成の一例を示す図である。
【００２１】
図１に示すように、情報提供システムＳは、コンテンツ送信装置の一例としての大型プロジェクタ１、及びコンテンツ表示装置の一例としての複数の携帯電話２ａ及び２ｂ等とを含んで構成されている。
【００２２】
大型プロジェクタ１と複数の携帯電話２ａ及び２ｂは、無線又は有線通信回線等（例えば、赤外線光学受信装置又はＢｌｕｅｔｏｏｔｈ（登録商標）等）を用いて相互にコンテンツデータ（情報）の送受信が可能となっている。
【００２３】
この様な構成のコンテンツ送受信システムＳにおいて、大型プロジェクタ１は、公衆に向けて行われる講演又は講演に係る資料等のコンテンツを、前記公衆へ提示し、また、前記コンテンツを示すコンテンツデータを、前記公衆が所有する複数の携帯電話２ａ等へ送信する際に用いられる表示装置である。
【００２４】
更に、大型プロジェクタ１は、所定の前記公衆にのみ前記コンテンツデータの表示を許可すべく、前記コンテンツデータの他に、当該コンテンツデータを受信して、例えば、前記複数の携帯電話２ａ等の表示部への表示を許可する情報を示す受信キーを送信するようになっている。
【００２５】
複数の携帯電話２ａ等には、専用のアプリケーションがインストールされており、当該アプリケーションの制御の下、所定の前記複数の携帯電話２ａ等にのみ前記コンテンツの表示等が行われるようになっている。
【００２６】
具体的には、前記講演の主催者等から前記コンテンツの表示を許可された複数の携帯電話２ａ等の所定の所有者は、上述した受信キーの内容が、当該主催者等から告知されるようになっている。そして、上記告知を受けた者は、前記アプリケーションを用いて、告知された受信キーを入力（設定）する。
【００２７】
そして、複数の携帯電話２ａ等が前記コンテンツデータ及び暗号キーを受信し、前記受信した受信キーと、前記予め設定した受信キーが一致した場合に、前記受信したコンテンツデータが示すコンテンツを前記表示部に表示するようになっている。
【００２８】
次に、大型プロジェクタ１の構成及び機能について、図２を用いて説明する。
【００２９】
図２は、本実施形態に係る大型プロジェクタ１の概要構成の一例を示すブロック図である。
【００３０】
図２に示すように、大型プロジェクタ１は、操作部１１と、表示制御部１２と、大型表示部１２ａ（例えば、大型液晶ディスプレイ又は大型スクリーン等）と、通信部１３と、ドライブ部１４と、記憶部１５と、音声処理部１６と、スピーカ１６ａと、システム制御部２０等とを備え、システムバス２１を介して相互に接続されている。
【００３１】
操作部１１は、例えば、キーボード又は、マウス等であり、オペレータ等からの操作指示を受け付け、その指示内容を指示信号としてシステム制御部２０に出力する。表示制御部１２は、システム制御部２０の制御の下、ドライブ部１４又は記憶部１５等から再生出力された、コンテンツデータから表示データを生成し、大型表示部１２ａに表示出力するようになっている。大型表示部１２ａは、例えば、大型液晶ディスプレイ又は大型スクリーン等であり、多数の公衆に対してコンテンツを表示する。
【００３２】
通信部１３は、複数の携帯電話２ａ等に対して、例えば、赤外線受光素子又はＢｌｕｅｔｏｏｔｈの適用により、コンテンツデータを送受信できるようになっている。なお、これらは公知の技術であるため、詳しい説明は省略する。
【００３３】
また通信部１３は、複数の携帯電話２ａ等に対して、上述した受信キーを送受信するようになっている。受信キーは、例えば、公衆に向けて行われる講演の主催者等が任意に設定することができるが、これに限定されるものではない。
【００３４】
ドライブ部１４は、例えば、フレキシブルディスク、ＣＤ（Compact Disc）、ＤＶＤ（Digital Versatile Disc）等のディスクＤＫからコンテンツデータ等を読み出す一方、当該ディスクＤＫに対してコンテンツデータ等を記録する。
【００３５】
記憶部１５は、例えば、ハードディスクドライブ等であり、各種プログラム及びコンテンツデータ等を記録する。音声処理部１６は、システム制御部２０の制御の下、スピーカ１６ａを通じて、コンテンツに関する音声等が出力される。
【００３６】
システム制御部２０は、ＣＰＵ（Central Processing Unit）１７、ＲＯＭ（Read Only Memory）１８、ＲＡＭ（Random Access Memory）１９等を備える。
【００３７】
そして、システム制御部２０は、ＣＰＵ１７が、ＲＯＭ１８や記憶部１５に記憶された各種プログラムを読み出し実行することにより大型プロジェクタ１の各部を統括的に制御する。
【００３８】
次に、複数の携帯電話２ａ（２ｂ）の構成及び機能について、図３を用いて説明する。
【００３９】
図３は、本実施形態に係る複数の携帯電話２ａ（２ｂ）の一例としての携帯電話２ａの概要構成の一例を示すブロック図である。
【００４０】
図３に示すように、携帯電話２ａは、操作部３１と、表示部３２（例えば、液晶ディスプレイ等）と、通信部３３と、記憶部３４と、音声処理部３５と、スピーカ３５ａと、ＧＰＳ受信部３６と、システム制御部４０等とが、システムバス６１を介して接続されている。
【００４１】
操作部３１は、例えば、キーボード、又はタッチパネル等であり、オペレータ等からの操作指示を受け付け、その指示内容を指示信号としてシステム制御部４０に出力する。表示部３２は、例えば、液晶ディスプレイ等であり、上述したコンテンツを表示する。
【００４２】
通信部３３は、基地局との電波送受信により移動体通信網に接続して他の携帯通信装置やネットワークに接続されたサーバ等との通信を制御し、当該通信方式としては、例えば、ＰＤＣ(Personal Digital Cellular)方式、ＩＭＴ(International Mobile Telecommunication)方式、又は、ＰＨＳ(Personal Handyphone System)方式等が適用される。
【００４３】
また、通信部３３は、大型プロジェクタ１等に対して、例えば、赤外線受光素子又はＢｌｕｅｔｏｏｔｈの適用により、コンテンツデータを送受信できるようになっている。なお、これらは公知の技術であるため、詳しい説明は省略する。
【００４４】
また、通信部３３は、大型プロジェクタ１等に対して、上述した受信キーを送受信するようになっている。受信キーは、例えば、公衆に向けて行われる講演の主催者等が任意に設定したものを、当該主催者等から、携帯電話２ａの所有者に対して告知されるものである。携帯電話２ａの所有者は、後述する専用アプリケーションを用いて、告知された暗号データと同一内容の受信キーを予め設定することができる。
【００４５】
記憶部３４は、例えば、フラッシュメモリ等であり、各種プログラム及びデータ等を記録する。また、記憶部３４には、上述した専用アプリケーションが予めインストールされている。音声処理部３５は、通話者の音声の入力又は着信音や警告音などを出力するスピーカ３５ａ等を制御するほか、システム制御部４０の制御の下、スピーカ３５ａを通じて、コンテンツに関する音声等が出力される。ＧＰＳ受信部３６は、衛星軌道上に配置され地球を周回するＧＰＳ衛星から出力される航法電波をＧＰＳアンテナ（図示せず）を介して受信し、受信した信号に基づいて測位し、測位データ（経度及び緯度情報）を、システム制御部４０へ供給する。
【００４６】
そして、システム制御部４０は、ＣＰＵ３７が、ＲＯＭ３８や記憶部３４に記憶された各種プログラムを読み出し実行することにより携帯電話２ａの各部を統括的に制御するとともに、本発明における受信手段、受信キー設定手段、及び表示制御手段等として機能するようになっている。
【００４７】
次に、本実施形態にかかるコンテンツ送受信システムＳの動作の概要について、図４及び図５を用いて説明する。
【００４８】
まず、本実施形態にかかるコンテンツ送受信システムＳの動作例１について、図４を用いて説明する。
【００４９】
図４は、本実施形態にかかるコンテンツ送受信システムＳの動作例１を示すシーケンス図である。
【００５０】
大型プロジェクタ１にて講演が開始され（ステップＳ１）、大型表示部１２ａにコンテンツが表示されると、通信部１３から、当該コンテンツを示すコンテンツデータと上記受信キーが送信される（ステップＳ２）。
【００５１】
システム制御部４０は、上記コンテンツデータ及び受信キーを受信すると、上述した専用アプリケーションにより予め設定された受信キーと、上記受信した受信キーが一致するか否か判断する（ステップＳ３）。
【００５２】
一致した場合には（ステップＳ３：ＹＥＳ）、コンテンツの表示を許可し、表示部３２にコンテンツが表示される（ステップＳ４）。
【００５３】
一方、一致しなかった場合には（ステップＳ３：ＮＯ）、コンテンツの表示を許可せず、処理が終了する。
【００５４】
そして、講演が終了すると（ステップ：Ｓ６）、全体の処理が終了する。
【００５５】
次に、本実施形態にかかるコンテンツ送受信システムＳの動作例２について、図５を用いて説明する。
【００５６】
図５は、本実施形態にかかるコンテンツ送受信システムＳの動作例２を示すシーケンス図である。
【００５７】
本実施形態においては、上述した専用アプリケーションと同等の機能を有するアプリケーションが記憶部１５に予めインストールされており、当該アプリケーションを用いて受信キーが予め設定されている。そして、携帯電話２ａから受信キーが送信されると、システム制御部２０が、送信された受信キーと予め設定された受信キーが一致するか否か判別し、一致した場合に、携帯電話２ａへコンテンツデータを送信するようになっている。
【００５８】
具体的には、講演が開始され（ステップＳ１１）、大型表示部１２ａに表示されているコンテンツと同一内容のコンテンツが受信可能な状態に送信される（ステップＳ１２）。
【００５９】
システム制御部４０は、コンテンツデータを受信すべく、受信キーを大型プロジェクタ１へ送信する（ステップＳ１３）。そして、システム制御部２０が、送信された受信キーと予め設定された受信キーが一致するか否か判別し、一致した場合に、携帯電話２ａへコンテンツデータを送信する（ステップＳ１４）。すると、表示部３２にコンテンツが表示される。
【００６０】
講演が終了すると（ステップＳ１５）、コンテンツの送信が終了し（ステップＳ１６）、コンテンツの受信も終了する（ステップＳ１７）。
【００６１】
以上説明したように、システム制御部４０は、コンテンツデータと、受信キーと、を受信すると、予め設定された前記受信キーと同一の内容を示す受信キーと前記受信した受信キーとが一致した場合に、前記受信したコンテンツデータが示すコンテンツを表示部３２に表示する。
【００６２】
従って、特定の場所で提供されるコンテンツを確実に視聴することができ、かつ、送信すべき者に対し、適切にコンテンツを送信し視聴させることができる。
【００６３】
換言すれば、本発明により、資源と労力のコスト削減が可能となる。出力装置を複数設置するための検討／労力が不要となり、また資料の紙媒体配布の必要もなくなる。ディスプレイが見えない／見づらいといった懸念もなくなり、伝えたい情報を確実に伝えることができる。セキュリティ面においても、紙媒体が要因となる情報漏洩のリスクが減り、またセキュリティ対策を施した無線ネットワークを構築することで高セキュリティを維持した情報発信が実現できる。
【００６４】
また、システム制御部４０は、前記受信した受信キーと、前記予め設定した受信キーが一致しなかった場合には、受信した前記コンテンツデータの表示を許可しない旨を前記表示部へ表示するようにしてもよい。
【００６５】
この場合、コンテンツの表示が許されていない者に対して、適切にその旨を提示することができる。
【００６６】
さらに、混雑時における電車等の行先案内ディスプレイ情報にも同様に本発明が適用可能である。混雑時や着席時はディスプレイが見えないことが多く、眠っていた場合や車内放送も聞こえにくい場合は、現在どこにいるのかがすぐに把握できない。本発明の適用により、これらの問題も解消可能である。本発明は無線出力装置と無線端末の間のネットワークにより実現するため、携帯電話の基地局の電波の届かない地下鉄等においても適用可能となる。
【００６７】
なお、前記実施形態においては、本願をコンテンツ送受信システムＳに対して適用した場合の例を示したが、その他にも例えば、ＰＤＡ、ポータブル音楽プレーヤー、電子手帳、ラップトップＰＣ、トランシーバなどの携帯機器等に対しても適用可能である。
【符号の説明】
【００６８】
１              大型プロジェクタ
２ａ            携帯電話
２ｂ            携帯電話
１１、３１      操作部
１２            表示制御部
１２ａ          大型表示部
１３、３３      通信部
１４            ドライブ部
１５、３４      記憶部
１６、３５      音声処理部
１６ａ、３５ａ  スピーカ
１７、３７      ＣＰＵ
１８、３８      ＲＯＭ
１９、３９      ＲＡＭ
２０、４０      システム制御部
３２            表示部
３６            ＧＰＳ受信部
Ｓ              コンテンツ送受信システム
【図１】
2010257105.tif 000003
【図２】
2010257105.tif 000004
【図３】
2010257105.tif 000005
【図４】
2010257105.tif 000006
【図５】
2010257105.tif 000007